(57)【要約】【課題】上キャビネットとフロアキャビネットとの間の空間の前方側つまり台所側を閉じ隠し自在とした、新しいキッチンキャビネットを提供する。【解決手段】上キャビネット（２）とフロアキャビネット（１）との間に空間（３）を設けたキッチンキャビネットであって、上キャビネット（２）とフロアキャビネット（１）との前端位置が略同一であり、上キャビネット（２）にはその前端下部から後方へ傾斜した傾斜部（２１）が設けられており、傾斜部（２１）には上端を中心に略垂直位置まで回動自在な遮蔽部材（４）が取り付けられており、遮蔽部材（４）が略垂直位置へ回動した状態で上フロアキャビネット（２）とフロアキャビネット（１）との間の空間（３）の前方側を略遮蔽可能となっている。【選択図】　図１
2004141325.tif 000002
【特許請求の範囲】
【請求項１】
上キャビネットとフロアキャビネットとの間に空間を設けたキッチンキャビネットであって、上キャビネットとフロアキャビネットとの前端位置が略同一であり、上キャビネットにはその前端下部から後方へ傾斜した傾斜部が設けられており、傾斜部には上端を中心に略垂直位置まで回動自在な遮蔽部材が取り付けられており、遮蔽部材が略垂直位置へ回動した状態で上フロアキャビネットとフロアキャビネットとの間の空間の前方側を略遮蔽可能となっていることを特徴とするキッチンキャビネット。
【請求項２】
遮蔽部材にはその下端部に昇降自在な補助遮蔽部材が取り付けられており、略垂直位置へ回動した遮蔽部材の下端部から補助遮蔽部材が下降した状態で遮蔽部材下端部とフロアキャビネットとの間の空間を略遮蔽可能となっていることを特徴とする請求項１記載のキッチンキャビネット。
【請求項３】
フロアキャビネットにはその前端部に遮蔽部材の回動制止用の凸部が設けられていることを特徴とする請求項１または２記載のキッチンキャビネット。
【請求項４】
上キャビネットの傾斜部は上キャビネット内への収納用の入口開口を有していることを特徴とする請求項１ないし３のいずれかに記載のキッチンキャビネット。
【請求項５】
遮蔽部材は枠体と枠体に取り付けられて開閉自在な扉体とを有していることを特徴とする請求項１ないし４のいずれかに記載のキッチンキャビネット。
【発明の詳細な説明】
【０００１】
【発明の属する技術分野】
この出願の発明は、キッチンキャビネットに関するものである。さらに詳しくは、この出願の発明は、上キャビネットとフロアキャビネットとの間の空間の前方側つまり台所側を閉じ隠し自在とした、新しいキッチンキャビネットに関するものである。
【０００２】
【従来の技術】
従来、台所においては、たとえば図７に例示したように、コンロ（図示なし）やシンク（１０）、カウンター（１１）等を備えたフロアキャビネット（１）とその上方に台所作業用やオープンキッチン用の空間（３）を確保して配置する吊戸棚等の上キャビネット（２）とを組み合わせたシステムキッチンキャビネットを設置することがしばしばある。
【０００３】
このキッチンキャビネットについては、上キャビネット（２）とフロアキャビネット（１）との間の空間（３）を閉じるために、上キャビネット（２）に昇降扉（図示ナシ）を内蔵させたものが知られている（たとえば特許文献１参照）。これによれば、必要に応じて昇降扉を上キャビネット（２）からフロアキャビネット（１）へ下降させることで、空間（３）の後方側を閉じ隠して、たとえばダイニング側から台所内を目隠しすることができる。
【０００４】
【特許文献１】
実公昭５８−３５７７号公報
【０００５】
【発明が解決しようとする課題】
しかしながら、上記特許文献１に記載のキッチンキャビネットは、上キャビネット（２）とフロアキャビネット（１）との間の空間（３）の後方側つまりダイニング側を隠すだけであり、空間（３）の前方側つまり台所側を隠すものではない。
【０００６】
不使用時にフロアキャビネット（１）に備えられたシンク（１０）やカウンター（１１）等を隠して台所内をすっきりとさせておきたいという要望は多いものの、今までは台所側を隠すことのできるキッチンキャビネットは存在していなかった。
【０００７】
そこで、この出願の発明は、以上のとおりの事情に鑑み、上キャビネットとフロアキャビネットとの間の空間の前方側つまり台所側を閉じ隠し自在とした、新しいキッチンキャビネットを提供することを課題としている。
【０００８】
【課題を解決するための手段】
この出願の発明は、上記の課題を解決するものとして、第１には、上キャビネットとフロアキャビネットとの間に空間を設けたキッチンキャビネットであって、上キャビネットとフロアキャビネットとの前端位置が略同一であり、上キャビネットにはその前端下部から後方へ傾斜した傾斜部が設けられており、傾斜部には上端を中心に略垂直位置まで回動自在な遮蔽部材が取り付けられており、遮蔽部材が略垂直位置へ回動した状態で上フロアキャビネットとフロアキャビネットとの間の空間の前方側を略遮蔽可能となっていることを特徴とするキッチンキャビネットを提供する。
【０００９】
また、この出願の発明は、第２には、前記遮蔽部材にはその下端部に昇降自在な補助遮蔽部材が取り付けられており、略垂直位置へ回動した遮蔽部材の下端部から補助遮蔽部材が下降した状態で遮蔽部材下端部とフロアキャビネットとの間の空間を略遮蔽可能となっていることを特徴とするキッチンキャビネット、第３には、前記フロアキャビネットにはその前端部に遮蔽部材の回動制止用の凸部が設けられていることを特徴とするキッチンキャビネット、第４には、前記上キャビネットの傾斜部は上キャビネット内への収納用の入口開口を有していることを特徴とするキッチンキャビネット、第５には、前記遮蔽部材は枠体と枠体に取り付けられて開閉自在な扉体とを有していることを特徴とするキッチンキャビネットを提供する。
【００１０】
【発明の実施の形態】
［第１の実施形態］
上記のとおりの特徴を有するこの出願の発明によれば、たとえば図１および図２に例示したように、上キャビネット（２）とフロアキャビネット（１）との前端位置を略同一とし、上キャビネット（２）にその前端下部から後方へ傾斜した傾斜部（２１）を設け、この傾斜部（２１）に上端を中心に略垂直位置まで回動自在な遮蔽部材（４）を取り付け、この遮蔽部材（４）が略垂直位置へ回動した状態で上キャビネット（２）とフロアキャビネット（１）との間の空間（３）の前方側を略遮蔽可能とすることで、空間（３）の前方側つまり台所側を閉じ隠し自在ならしめたキッチンキャビネットを実現することができる。
【００１１】
より具体的には、図１および図２の実施形態では、まず、フロアキャビネット（１）とその上方に台所作業用やオープンキッチン用等の空間（３）を確保して配置される吊戸棚等の上キャビネット（２）との前端位置を略同一（ちょうど同一およびほぼ同一を含む）とし、フロアキャビネット（１）が出っ張るまたは上キャビネット（２）が出っ張ることのないようにしている。これは、フロアキャビネット（１）の奥行きと上キャビネット（２）の奥行きを共通化することで実現できる。
【００１２】
続いて、この上キャビネット（２）に前端下部から後方つまりキャビネット背面側へ下降傾斜させた傾斜部（２１）を設けている。傾斜部（２１）は上キャビネット（２）内への収納用に入口開口（２１ａ）を有しており（たとえば傾斜部（２１）自体が開口形状となっている（図２参照））、上キャビネット（２）の収納量をより多く確保できるようになっている。図中（２２）は棚板である。
【００１３】
そして、この傾斜部（２１）に上端を蝶番等を介して枢着させた遮蔽部材（４）を取り付けている。この遮蔽部材（４）は上端を中心に傾斜部（２１）位置と略垂直位置（ちょうど垂直およびほぼ垂直を含む）との間を回動開閉自在とされており、閉時には入口開口（２１ａ）を塞ぐようにして傾斜部（２１）にマグネットやロック手段等を介して閉められ（図１の実線および図２（ｂ）参照）、開時には傾斜部（２１）から手前に下降回動して略垂直状態となり、上キャビネット（２）とフロアキャビネット（１）との間の開口（３）の前方側を略遮蔽する（図１の破線および図２（ａ）参照）。
【００１４】
これにより、遮蔽部材（４）を回動させるだけで、任意に且つ容易に上キャビネット（２）とフロアキャビネット（１）との間の空間（３）の前方側つまり台所側を目隠しすることができる。
【００１５】
本実施形態において、遮蔽部材（４）は、その大枠となる枠体（４１）と、枠体（４１）に取り付けられて開閉自在な引戸式や開き戸式の扉体（４２）とを有しており、遮蔽部材（４）が傾斜部（２１）に閉まっている状態においても、扉体（４２）を開け閉めして傾斜部（２１）の入口開口（２１ａ）から上キャビネット（１）内への収納を可能としている（図２（ｂ）参照）。また、遮蔽部材（４）が開口（３）を目隠ししている状態においても、扉体（４２）を開け閉めすればフロアキャビネット（１）上の物を取り出すことができ、台所側からの見栄えを向上させるだけでなくその使い勝手も高く維持できるのである。
【００１６】
また、遮蔽部材（４）を取り付ける部分を上キャビネット（２）の前端下部を後方へ傾斜させた傾斜部（２１）としているので、使用者の頭がぶつかることもなく、この点においても使用者の使い勝手の良いものとなっている。
【００１７】
［第２の実施形態］
上述したように回動自在な遮蔽部材（４）によって上キャビネット（２）とフロアキャビネット（１）との間の空間（３）の前方側を略遮蔽可能なものとするに際し、フロアキャビネット（１）上に背の高い物があり遮蔽部材（４）が回動時に当たる恐れがある場合や、フロアキャビネット（１）および上キャビネット（２）の大きさや配置等に起因して空間（３）を略遮蔽可能とするのに十分な寸法の遮蔽部材（４）を取り付けられない場合などには、たとえば図３〜図５に例示したように、遮蔽部材（４）自体の下端部に昇降自在な補助遮蔽部材（４３）を取り付け、略垂直位置へ回動した遮蔽部材（４）の下端部から補助遮蔽部材（４３）が下降した状態で空間（３）を略遮蔽可能な構造とすることもできる。
【００１８】
より具体的には、図３〜図５の実施形態では、遮蔽部材（４）の下端部内に補助遮蔽部材（４３）を昇降自在に内蔵し、遮蔽部材（４）が上キャビネット（２）の傾斜部（２１）から回動して略垂直位置まで下りた状態にて、補助遮蔽部材（４３）が遮蔽部材（４）の下端部からフロアキャビネット（１）のたとえばカウンター（１１）上まで下降するようになっている。
【００１９】
これにより、補助遮蔽部材（４３）が遮蔽部材（４）下端部とフロアキャビネット（１）との間の隙間を閉じて、開口（３）の前方側を十分に遮蔽することができる。
【００２０】
本実施形態においても、図４に例示したように、遮蔽部材（４）は枠体（４１）および扉体（４２）とを有し、閉時つまり開口（３）非遮蔽時の上キャビネット（２）への収納、ならびに開時つまり開口（３）遮蔽時のフロアキャビネット（１）上の物の出入れを可能ならしめている。
【００２１】
なお、第１の実施形態および第２の実施形態において、上キャビネット（２）とフロアキャビネット（１）との間の空間（３）の前方側を遮蔽部材（４）および補助遮蔽部材（４３）によって略遮蔽可能ならしめるとしているが、この略遮蔽状態については、隙間なく遮蔽した状態にするというだけでなく、少なくとも空間（３）の前方側を閉じ隠してすっきりさせるという要望を満足できる程度の遮蔽状態であればよい。したがって、遮蔽部材（４）の寸法等は所望の遮蔽状態に応じたものとすればよく、補助遮蔽部材（４３）の具備についても適宜とすればよく、また遮蔽部材（４）下端部からの補助遮蔽部材（４３）の下降量についても、カウンター（１１）等のフロアキャビネット（１）上に接触するようにしたり、若干の隙間を残すようにしたりしてもよい（たとえば遮蔽部材（４）内にストッパー等を設けることで実現できる）。さらにまたたとえば図６に例示したように、フロアキャビネット（１）の前端部（図６ではカウンター（１１）の前端部）に上方に突出した凸部（１１ａ）を設けて、略垂直状態の遮蔽部材（４）の下端部とフロアキャビネット（１）との間の隙間を隠して空間（３）の前方側を隙間なく遮蔽可能なものとしてもよい。
【００２２】
この図６における凸部（１１ａ）は、隙間隠しのためだけでなく、遮蔽部材（４）の回動制止のために設けられていてもよい。この凸部（１１ａ）に遮蔽部材（４）（補助遮蔽部材（４３）を含む）の下端部が当たることで回動が抑えられ、遮蔽部材（４）を略垂直位置に制止させて開口（３）の遮蔽状態を確保できる。
【００２３】
もちろん、この出願の発明は以上の実施形態に限定されるものではなく、細部については様々な態様が可能である。
【００２４】
【発明の効果】
以上詳しく説明したとおり、この出願の発明によって、上キャビネットとフロアキャビネットとの間の空間の前方側つまり台所側を閉じ隠し自在とした、新しいキッチンキャビネットが提供される。
【図面の簡単な説明】
【図１】この出願の発明の一実施形態を示した側面図である。
【図２】（ａ）（ｂ）は、各々、図１の実施形態における遮蔽部材の開閉状態を説明するための図である。
【図３】この出願の発明の別の一実施形態を示した側面図である。
【図４】図３の実施形態における開口遮蔽状態を説明するための図である。
【図５】図３の実施形態における補助遮蔽部材を説明するための図である。
【図６】この出願の発明のさらに別の一実施形態を示した側面図である。
【図７】従来のキッチンキャビネットの一例を示した側面図である。
【符号の説明】
１　フロアキャビネット
１０　シンク
１１　カウンター
１１ａ　凸部
２　上キャビネット
２１　傾斜部
２１ａ　入口開口
２２　棚板
３　空間
４　遮蔽部材
４１　枠体
４２　扉体
４３　補助遮蔽部材
【図１】
2004141325.tif 000003
【図２】
2004141325.tif 000004
【図３】
2004141325.tif 000005
【図４】
2004141325.tif 000006
【図５】
2004141325.tif 000007
【図６】
2004141325.tif 000008
【図７】
2004141325.tif 000009